(57)【要約】【課題】  複数の遊技機およびその関連機器に電力を供給するためのケーブルユニットであって、遊技機島の支持枠の両面に異なる種類の遊技機が設置される場合や支持枠の一方の面に設置された遊技機のみを入れ替える場合でも配線ミスが起こりづらいケーブルユニットを提供し、さらには、遊技機の入替作業を容易且つ確実に行うことが可能なケーブルユニットを提供し、加えて、作業効率のよい遊技機島の構築方法を提供すること。【解決手段】  幅方向に連設された複数の遊技機Ｐおよびその関連機器Ｃの直上に設置される受材１０と、この受材１０の内部に取り付けられた複数のコンセント２０と、受材１０の内部に敷設され、且つ、各コンセント２０に接続された電源ケーブル３０とでケーブルユニット１を構成し、各コンセント２０の差込口を受材１０の外面に露出させる。【選択図】      図１
2005137627.tif 000002
【特許請求の範囲】
【請求項１】
幅方向に連設された複数の遊技機およびその関連機器に電力を供給するためのケーブルユニットであって、
前記各遊技機およびその関連機器の直上に設置される受材と、
当該受材の内部に取り付けられた複数のコンセントと、
前記受材の内部に敷設され、且つ、前記各コンセントに接続された電源ケーブルとを備えており、
前記各コンセントの差込口が前記受材の外面に露出していることを特徴とするケーブルユニット。
【請求項２】
前記受材は、前記各コンセントを設置可能な複数の開口が形成された底板と、当該底板の両側端に立設された一対の側板とからなり、
前記一対の側板の少なくとも一方には、前記各コンセントを設置可能な複数の開口が形成されていることを特徴とする。
【請求項３】
幅方向に連設された複数の遊技機およびその関連機器からなる遊技機島の構築方法であって、
複数の遊技機およびその関連機器を両面に設置可能な支持枠を構築する工程と、
前記支持枠の両面のそれぞれに複数の遊技機およびその関連機器を設置する工程と、
前記支持枠の両面のそれぞれの上端部分に、複数のコンセントと当該各コンセントに接続された電源ケーブルとを備えるケーブルユニットを設置する工程と、
前記ケーブルユニットの各コンセントに、前記各遊技機およびその関連機器から延びる機器用電源ケーブルを接続する工程と、を含むことを特徴とする遊技機島の構築方法。
【発明の詳細な説明】
【技術分野】
【０００１】
本発明は、幅方向に連設された複数の遊技機およびその関連機器に電力を供給するためのケーブルユニットおよび遊技機島の構築方法に関する。
【背景技術】
【０００２】
従来、遊技機島には、パチンコ機やパチスロ機などの遊技機のほか、カード式若しくは現金式の貸出機、呼出ランプ、照明装置など多種多様な関連機器が設置されている。
【０００３】
ところで、このような遊技機島を構築する場合には、現場において支持枠を設置したうえで、当該支持枠に複数の遊技機およびその関連機器を設置し、さらに、これら遊技機および関連機器ごとに電力を供給するための電源ケーブルを接続・配線する必要があるが、遊技機および関連機器の台数が非常に多いことから、作業が複雑化し、工事に多大な時間を要するという問題がある。
【０００４】
このような背景の中、電源ケーブル等が収納されるケーブルユニットを遊技機島の最上部中央に沿って設置して配線作業の簡略化を図る試みが特許文献１に開示されている。
【０００５】
【特許文献１】特開平６−６３２３９号公報（全頁）
【発明の開示】
【発明が解決しようとする課題】
【０００６】
しかしながら、特許文献１に開示されているケーブルユニットは、遊技機島の最上部中央に設置され、しかも、その底面に形成された配線引通し部から電源ケーブルを内部に引き通す構成であることから、電源ケーブルの配線の自由度が大きく制限されるという問題がある。
【０００７】
また、支持枠の両面に背中合わせの状態で遊技機を設置したうえで、当該遊技機の裏側の狭いスペースにおいて玉搬送装置の設置作業や信号ケーブルの配線作業等を行うことから、ケーブルユニットが遊技機島の最上部中央に設置されていると、これら作業の効率が悪化するという問題もある。
【０００８】
さらに、遊技機島の最上部中央にケーブルユニットを設置すると、結局のところ支持枠の両側に設置された遊技機等に至る電源ケーブルの総てが一箇所に集中することになるので、例えば、支持枠の一方の面に設置される遊技機と他方の面に設置される遊技機とで定格電圧等が異なる場合や支持枠の一方の面に設置された遊技機のみを入れ替える場合に、配線ミスが生じる虞もある。
【０００９】
そこで、本発明は、複数の遊技機およびその関連機器に電力を供給するためのケーブルユニットであって、遊技機島の支持枠の両面に異なる種類の遊技機が設置される場合や支持枠の一方の面に設置された遊技機のみを入れ替える場合でも配線ミスが起こりづらいケーブルユニットを提供することを課題とし、さらには、遊技機の入替作業を容易且つ確実に行うことが可能なケーブルユニットを提供することを課題とし、加えて、作業効率のよい遊技機島の構築方法を提供することを課題とする。
【課題を解決するための手段】
【００１０】
このような課題を解決するためになされた請求項１の発明は、幅方向に連設された複数の遊技機およびその関連機器に電力を供給するためのケーブルユニットであって、前記各遊技機およびその関連機器の直上に設置される受材と、当該受材の内部に取り付けられた複数のコンセントと、前記受材の内部に敷設され、且つ、前記各コンセントに接続された電源ケーブルとを備えており、前記各コンセントの差込口が前記受材の外面に露出していることを特徴とする。
【００１１】
かかる構成のケーブルユニットは、幅方向に連設された複数の遊技機およびその関連機器の直上に設置されることから、例えば、遊技機島の支持枠の両面に遊技機が設置される場合には、各面ごとにケーブルユニットが設置されることになる。
【００１２】
また、遊技機の入替作業を行う際には、この受材の外面に露出したコンセントに各遊技機等から延びる機器用電源ケーブルを抜き差しするだけでよいことから、入替作業の迅速化を図ることも可能となる。さらに、コンセントと電源ケーブルとが予めユニット化されているので、現場における配線作業の簡素化・迅速化を図ることが可能となり、ひいては遊技機島の構築作業の簡素化・迅速化を図ることが可能となる。すなわち、複数のコンセントと電源ケーブルとが予め受材に取り付けられていることから、現場においてこの受材を所定位置に設置するだけで、遊技機等へ至る電力ラインが確保されることになる。また、コンセントと電源ケーブルとが受材にひとまとめにされているので、遊技機等の裏側が整理されることになり、その結果、保守点検作業の効率化を図ることも可能となる。
【００１３】
請求項２の発明は、請求項１に記載のケーブルユニットであって、前記受材は、前記各コンセントを設置可能な複数の開口が形成された底板と、当該底板の両側端に立設された一対の側板とからなり、前記一対の側板の少なくとも一方には、前記各コンセントを設置可能な複数の開口が形成されていることを特徴とする。
【００１４】
かかる構成のケーブルユニットによると、コンセントの差込口を受材の底板側だけでなく側板側にも露出させることができるので、遊技機等から延びる電源ケーブルの配線の自由度が高く、支持枠の両面に異なる種類の遊技機を設置する場合にも容易に対応することが可能である。
【００１５】
請求項３の発明は、幅方向に連設された複数の遊技機およびその関連機器からなる遊技機島の構築方法であって、複数の遊技機およびその関連機器を両面に設置可能な支持枠を構築する工程と、前記支持枠の両面のそれぞれに複数の遊技機およびその関連機器を設置する工程と、前記支持枠の両面のそれぞれの上端部分に、複数のコンセントと当該各コンセントに接続された電源ケーブルとを備えるケーブルユニットを設置する工程と、前記ケーブルユニットの各コンセントに、前記各遊技機およびその関連機器から延びる機器用電源ケーブルを接続する工程と、を含むことを特徴とする。
【００１６】
かかる工程を含む遊技機島の構築方法によると、複数のコンセントと当該各コンセントに接続された電源ケーブルとを備えるケーブルユニットを支持枠に設置するので、遊技機の裏側の狭いスペースにおいて電源ケーブルの配線作業を行う必要がない。
【発明の効果】
【００１７】
本発明に係るケーブルユニットによると、遊技機島の支持枠の両面に異なる種類の遊技機が設置される場合や支持枠の一方の面に設置された遊技機のみを入れ替える場合であっても配線ミスが起こりづらくなる。
【００１８】
また、本発明に係るケーブルユニットによると、遊技機の入替作業の迅速化を図ることも可能となり、さらには、遊技機島の構築作業の簡素化・迅速化あるいは保守点検作業の効率化を図ることが可能となる。
【００１９】
また、本発明に係る遊技機島の構築方法によると、当該遊技機の裏側の狭いスペースにおける電源ケーブルの配線作業が不要となることから、作業効率が格段に向上する。
【発明を実施するための最良の形態】
【００２０】
以下、本発明を実施するための最良の形態を、添付した図面を参照しつつ詳細に説明する。
【００２１】
図１に示すように、ケーブルユニット１は、幅方向に連設された複数の遊技機Ｐおよびその関連機器Ｃに電力を供給するためのものであり、各遊技機Ｐおよびその関連機器Ｃの直上に設置される。なお、本実施形態では、図２に示すように、支持枠Ｗの両面に遊技機Ｐが設置されており、各面ごとにケーブルユニット１が設置されている。すなわち、本実施形態に係る遊技機島においては、支持枠Ｗの両面のそれぞれの上端部分にケーブルユニット１，１が設置されており、換言すれば、一つの支持枠Ｗに対して、二つのケーブルユニット１，１が設置されているといえる。
【００２２】
なお、遊技機Ｐには、パチンコ機、パチスロ機、テレビゲーム機などが含まれ、関連機器Ｃには、カード式若しくは現金式の貸出機、呼出ランプ、照明装置などが含まれる。また、「幅方向」とは、遊技機Ｐを正面からみたときの左右方向をいう（図５参照）。
【００２３】
ケーブルユニット１は、図１に示すように、支持枠Ｗの上部に設置される受材１０と、この受材１０の内部に取り付けられた複数のコンセント２０と、受材１０の内部に敷設された電源ケーブル３０とを備えて構成されている。
【００２４】
受材１０は、図２に示すように、遊技機Ｐの直上であって支持枠Ｗの支持柱Ｗ１の上端部分に形成されたブラケットＷ２上に載置固定されている。また、図３に示すように、受材１０は、長手方向に連設された複数の鋼製の形材１１からなり、長手方向に隣接する形材１１，１１は、一対の連結板１４，１４により互いに連結されている。
【００２５】
形材１１は、底板１２と、この底板１２の両側端に立設された一対の側板１３，１３とを備えて構成されている。底板１２には、図４に示すように、コンセント２０を設置可能な複数の矩形の開口１２ａが形成されており、この開口１２ａの両側にネジ孔１２ｂ，１２ｂが穿設されている。また、一対の側板１３，１３のうちの少なくとも一方には、コンセント２０を設置可能な複数の矩形の開口１３ａが形成されている。この開口１３ａの両側には、ネジ孔１３ｂ，１３ｂが穿設されており、このネジ孔１３ｂ，１３ｂを利用して開口１３ａを塞ぐ塞ぎ板１５が取り付けられる。さらに、一対の側板１３，１３の端部には、それぞれ四箇所ずつネジ孔１３ｃが形成されており、このネジ孔１３ｃを利用して連結板１４が取り付けられる。
【００２６】
なお、形材１１の断面形状は、図示のものに限定されることはなく、例えば、半円形を呈するものであっても差し支えない。また、形材１１の材質も鋼製のものに限定されることはなく、アルミニウム合金製のものや木製のものであっても差し支えない。
【００２７】
連結板１４は、図３に示すように、長方形を呈する鋼製の板材からなり、合計八箇所にネジ孔１４ａが形成されている。この八つのネジ孔１４ａは、その片側四つのネジ孔１４ａが形材１１の端部に形成した四つのネジ孔１３ｃに対応している。
【００２８】
コンセント２０は、図４に示すように、遊技機Ｐおよび関連機器Ｃ（図１参照）から延びる機器用電源ケーブルＰ１，Ｃ１のプラグＰ２，Ｃ２が差し込まれる二つの差込口２１，２１を備えており、形材１１の開口１２ａを内側から覆い、且つ、差込口２１が外面に露出するように受材１０の内部に設置されている。すなわち、受材１０の外側からプラグＰ２，Ｃ２をコンセント２０の差込口２１に抜差することができる。そして、図５に示すように、複数のコンセント２０のそれぞれに機器用電源ケーブルＰ１，Ｃ１が接続されると、図示しない電源（配電盤等）から遊技機Ｐおよび関連機器Ｃに至る電力ラインが確保されることになる。なお、遊技機Ｐから延びる機器用電源ケーブルＰ１には、電圧値を変換するトランスＴが介設されている。また、本実施形態では、受材１０（形材１１）の底板１２の開口１２ａを覆うようにコンセント２０を設置したが、これに限定されることはなく、側板１３の開口１３ａを覆うようにコンセント２０を設置してもよい。どちらの開口にコンセント２０を設置するかは、遊技機Ｐの種類等に応じて適宜選択すればよい。
【００２９】
電源ケーブル３０は、図６に示すように、三つのコンセント２０に接続され、その他端は図示しない電源（配電盤等）に接続される。すなわち、本実施形態では、一本の電源ケーブル３０により三台の遊技機Ｐと三台の関連機器Ｃとに電力が供給されることになる。なお、一本の電源ケーブル３０に接続されるコンセント２０の個数は、適宜変更しても差し支えない。
【００３０】
次に、ケーブルユニット１の製造方法について図３を参照して説明する。まず、複数の形材１１を一列に並べ、その端部同士を突き合わせる。次いで、形材１１，１１の境界部分において一対の連結板１４，１４をそれぞれ側板１３，１３にあてがい、側板１３のネジ孔ｃと連結板１４のネジ孔１４ａの位置を合わせたうえで、図示しないネジを螺入してこれらを接合する。続いて、形材１１の底板１２にコンセント２０を載置し、さらに形材１１の外面（下面）にカバー２２をあてがったうえで、図示しないネジを螺入して固定する。その後、電源ケーブル３０をコンセント２０に接続したうえで、この電源ケーブル３０を受材１０の内部に敷設し、さらに、形材１１の側板１３に形成された開口１３ａを塞ぎ板１５で塞ぐと、ケーブルユニット１が完成する。
【００３１】
そして、このケーブルユニット１を利用して遊技機島を構築するには、図１に示すように、現場において支持枠Ｗを構築したうえで、この支持枠Ｗの両面のそれぞれの上端部分にケーブルユニット１，１を設置し、その後、遊技機Ｐおよびその関連機器Ｃを支持枠Ｗの側面に設置しつつ、遊技機Ｐあるいは関連機器Ｃから延びる機器用電源ケーブルＰ１，Ｃ１の先端のプラグＰ２，Ｃ２（図４参照）をコンセント２０の差込口２１（図４参照）に差し込めばよい。なお、遊技機Ｐおよびその関連機器Ｃを支持枠Ｗの側面に設置した後に、支持枠Ｗの両面のそれぞれの上端部分にケーブルユニット１，１を設置してもよい。このように、ケーブルユニット１を利用して遊技機島を構築すると、遊技機の裏側の狭いスペースにおける電源ケーブルの配線作業が不要となることから、作業効率が格段に向上する。
【００３２】
以上のように構成された本実施形態に係るケーブルユニット１は、幅方向に連設された複数の遊技機Ｐおよびその関連機器Ｃの直上に設置されることから、例えば、遊技機島の支持枠Ｗの両面に遊技機Ｐが設置される場合には、各面ごとにケーブルユニットが設置されることになる。したがって、支持枠Ｗの一方の面に設置される遊技機Ｐと他方の面に設置される遊技機Ｐとで定格電圧等が異なる場合や支持枠Ｗの一方の面に設置された遊技機Ｐのみを入れ替える場合であっても、配線ミスが起こりづらくなる。
【００３３】
さらに、受材１０には、その底板１２のみならず、側板１３にも開口１３ａを設けてあるので、異なる種類の遊技機Ｐ等に対してもこの受材１０を共通して使用することが可能となる。例えば、支持枠Ｗの一方の側面にパチンコ機が設置され、他方の側面にパチスロ機が設置される場合には、パチンコ機の直上に設置されるケーブルユニットについては、その底板にコンセントを設置し、パチスロ機の直上に設置されるケーブルユニットについて、その側板にコンセントを設置すればよい。
【００３４】
加えて、本実施形態に係るケーブルユニット１によれば、コンセント２０と電源ケーブル３０とが予めユニット化されているので、現場における配線作業の簡素化・迅速化を図ることが可能となり、ひいては遊技機島の構築作業の簡素化・迅速化を図ることが可能となる。すなわち、複数のコンセント２０と電源ケーブル３０とが予め受材１０に取り付けられていることから、現場においてこの受材１０を支持枠Ｗに設置するだけで、遊技機Ｐ等へ至る電力ラインが確保されることになる。また、コンセント２０と電源ケーブル３０とが受材１０にひとまとめにされているので、遊技機Ｐ等の裏側が整理整頓されることになり、その結果、保守点検作業の効率化を図ることも可能となる。さらに、遊技機Ｐの入替作業を行う際には、この受材１０の外面に露出したコンセント２０の差込口２１に各遊技機Ｐから延びる機器用電源ケーブルＰ１のプラグＰ２を抜き差しするだけでよいことから、入替作業の迅速化をも図ることも可能となる。
【図面の簡単な説明】
【００３５】
【図１】本発明に係るケーブルユニットおよびその設置状態を示す斜視図である。
【図２】本発明に係るケーブルユニットおよびその設置状態を示す断面図である。
【図３】本発明に係るケーブルユニットの分解斜視図である。
【図４】本発明に係るケーブルユニットを下面側から見た斜視図である。
【図５】本発明に係るケーブルユニットの使用状態を示す正面図である。
【図６】本発明に係るケーブルユニットの内部を示す模式図である。
【符号の説明】
【００３６】
１      ケーブルユニット
１０    受材
１２ａ，１３ａ    開口
２０    コンセント
３０    電源ケーブル
Ｐ      遊技機
Ｗ      支持枠
【図１】
2005137627.tif 000003
【図２】
2005137627.tif 000004
【図３】
2005137627.tif 000005
【図４】
2005137627.tif 000006
【図５】
2005137627.tif 000007
【図６】
2005137627.tif 000008